(57)【要約】【課題】本発明は、吸気専用換気扇または排気専用換気扇のいずれにも採用できる共通の構成をなす送風ファンと、この送風ファンを用いて、コストに影響を与えることなく吸気性能を向上させた吸気専用換気扇または排気性能を保持する排気専用換気扇を提供する。【解決手段】樹脂製の送風ファンＦは、駆動モータＭの回転軸Ｇに回り止め金具２０を介して取付けられ、駆動モータの回転軸に嵌め込まれるボス部１５と、このボス部の外周部に設けられ回り止め金具が送風ファンの回り止めをなすため掛合する掛合部１６と、この掛合部の外周部に設けられ複数枚のファンブレード１７を支持するファン支え部１８とを備え、ボス部とファン支え部は、軸方向の中心位置が互いに略同一位置に設定されるとともに、この中心位置を境にして、その両側に掛合部が設けられる。【選択図】      図１
2008202579.tif 000002
【特許請求の範囲】
【請求項１】
駆動モータの回転軸に回り止め金具を介して取付けられる樹脂製の送風ファンにおいて、
上記駆動モータの回転軸に嵌め込まれるボス部と、このボス部の外周に設けられ上記回り止め金具が送風ファンの回り止めをなすため掛合する掛合部と、この掛合部の外周に設けられ複数枚のファンブレードを支持するファン支え部とを備え、
上記ボス部とファン支え部は、軸方向の中心位置が互いに略同一位置に設定されるとともに、この中心位置を境にして両側に上記掛合部が設けられることを特徴とする送風ファン。
【請求項２】
開口部を有する本体枠と、
この本体枠の開口部に設けられ、一側面から回転軸が突出する駆動モータと、
この駆動モータの回転軸に回り止め金具を介して取付けられる上記請求項１記載の送風ファンと、
上記本体枠の開口部に装着され、上記送風ファンを包囲するベルマウスが形成される化粧枠とを具備し、
上記送風ファンは、上記駆動モータ側から吸気する方向に向けて回転軸に挿入され、
上記回り止め金具は、送風ファンの反挿入側に設けられる上記掛合部に掛合され、
上記駆動モータは送風ファンを所定方向に回転駆動して、屋外空気を居室内に吸気することを特徴とする吸気専用換気扇。
【請求項３】
開口部を有する本体枠と、
この本体枠の開口部に設けられ、一側部から回転軸が突出する駆動モータと、
この駆動モータの回転軸に回り止め金具を介して取付けられる上記請求項１記載の送風ファンと、
上記本体枠の開口部に装着され、上記送風ファンを包囲するベルマウスが形成される化粧枠とを具備し、
上記送風ファンは、上記駆動モータ側に排気する方向に向けて回転軸に挿入され、
上記回り止め金具は、送風ファンの反挿入側に設けられる上記掛合部に掛合され、
上記駆動モータは送風ファンを反所定方向に回転駆動して、居室内空気を屋外へ排気することを特徴とする排気専用換気扇。
【請求項４】
上記送風ファンにおけるボス部とファン支え部の軸方向中心位置と、上記ベルマウスの基準位置との距離は、互いに同一であることを特徴とする請求項２および請求項３のいずれかに記載の吸気専用換気扇または排気専用換気扇。
【発明の詳細な説明】
【技術分野】
【０００１】
本発明は、送風ファンと、この送風ファンを用いた吸気専用換気扇または排気専用換気扇に関する。
【背景技術】
【０００２】
近年、居室の断熱性の向上とともに気密性が向上しており、また建築基準法改正にともない換気の重要性が高まっている。しかるに、一般に用いられる換気扇としては、居室内空気を排出する排気専用である。居室への吸気としては、居室に換気口（ガラリ）を備えるか、もしくはドアや襖などの隙間からの取入れに期待しているに過ぎない。
【０００３】
そのため、排気と比較して吸気が不十分な傾向にあり、吸気を積極的に行って居室環境を改善することが望まれる。そこで、［特許文献１］に開示されるような、１台の換気扇で吸気運転と排気運転とに切換えられる、吸排気切換式換気扇が提案されている。
【０００４】
【特許文献１】特開平７−０５５２１４号公報
【発明の開示】
【発明が解決しようとする課題】
【０００５】
上記［特許文献１］に開示される吸排気切換式換気扇は、引紐を引張ることで、この引紐に連結されるロータリ型の切換えスイッチ装置が、「排気」−「切」−「吸気」−「切」−「排気」−の順に切換り、駆動モータが送風羽根を正転駆動、停止、もしくは逆転駆動、停止して上述の作用をなす。
【０００６】
ところで、上記送風羽根は排気用換気扇のものを、そのまま用いている。当然ながら、送風羽根は排気を重視して設計されていて、排気作用時には充分な換気量を得ることができる。したがって、吸気作用時に上記送風羽根を逆転させただけでは、吸気効率が排気効率に比較して著しく劣るという不具合がある。
【０００７】
排気専用の換気扇と、吸気専用の換気扇を用いれば、それぞれ十分な排気性能および吸気性能を達成することができる。そのためには、排気専用換気扇と吸気専用換気扇について、全てを別部品で製造しなくてはならず、製造段階における部品点数が多くなるという問題がある。
【０００８】
本発明は上記事情にもとづきなされたものであり、その目的とするところは、吸気専用換気扇または排気専用換気扇のいずれにも採用できる共通の構成をなす送風ファンと、この送風ファンを用いて、コストに影響を与えることなく吸気性能を向上させた吸気専用換気扇または排気性能を保持する排気専用換気扇を提供しようとするものである。
【課題を解決するための手段】
【０００９】
上記目的を満足するため本発明の送風ファンは、駆動モータの回転軸に回り止め金具を介して取付けられる樹脂製の送風ファンであり、駆動モータの回転軸に嵌め込まれるボス部と、このボス部の外周に設けられ回り止め金具が送風ファンの回り止めをなすため掛合する掛合部と、この掛合部の外周に設けられ複数枚のファンブレードを支持するファン支え部とを備えていて、ボス部とファン支え部は、軸方向の中心位置が互いに略同一位置に設定されるとともに、この中心位置を境にして両側に掛合部が設けられる。
【００１０】
上記目的を満足するため本発明の吸気専用換気扇は、開口部を有する本体枠と、この本体枠の開口部に設けられ一側面から回転軸が突出する駆動モータと、この駆動モータの回転軸に回り止め金具を介して取付けられる上記記載の送風ファンと、本体枠の開口部に装着され送風ファンを包囲するベルマウスが形成される化粧枠とを具備し、上記送風ファンは駆動モータ側から吸気する方向に向けて回転軸に挿入され、回り止め金具は送風ファンの反挿入側に設けられる掛合部に掛合され、駆動モータは送風ファンを所定方向に回転駆動して屋外空気を居室内に吸気する。
【００１１】
上記目的を満足するため本発明の排気専用換気扇は、開口部を有する本体枠と、この本体枠の開口部に設けられ一側部から回転軸が突出する駆動モータと、この駆動モータの回転軸に回り止め金具を介して取付けられる上記記載の送風ファンと、本体枠の開口部に装着され送風ファンを包囲するベルマウスが形成される化粧枠とを具備し、上記送風ファンは駆動モータ側に排気する方向に向けて回転軸に挿入され、回り止め金具は送風ファンの反挿入側に設けられる掛合部に掛合され、駆動モータは送風ファンを反所定方向に回転駆動して居室内空気を屋外へ排気する。
【発明の効果】
【００１２】
本発明によれば、共通構造の送風ファンで吸気専用換気扇または排気専用換気扇を得られ、コストに影響を与えることなく、吸気性能の向上化または排気性能を保持するという効果を奏する。
【発明を実施するための最良の形態】
【００１３】
以下、本発明の実施の形態を、図面にもとづいて説明する。（なお、符号を付していない部品については図示していない。もしくは、図示しても符号を付していない。）  
図１（Ａ）および図２（Ａ）は排気専用換気扇ＫＤの斜視図と縦断面図、図１（Ｂ）および図３（Ａ）は吸気専用換気扇ＫＳの斜視図と縦断面図である。
【００１４】
排気専用換気扇ＫＤと吸気専用換気扇ＫＳは、ともに、本体枠１と、この本体枠１に装着される化粧枠２と、本体枠１に設けられるシャッタ機構３と、本体枠１に支持される駆動モータＭと、この駆動モータＭに取付け具５を介して取付けられる合成樹脂製の送風ファンＦとから構成される。
【００１５】
上記本体枠１は合成樹脂材から形成され、居室の壁面に貫通する取付け用孔に嵌め込まれて固定される。居室側と室外側に連通する開口部１ａを有し、開口部１ａ居室側に、居室壁面から居室側に突出する上記化粧枠２が装着される。本体枠１の開口部１ａ室外側には上記シャッタ機構３が取付けられ、開口部１ａ室外側を開閉自在としている。
【００１６】
上記シャッタ機構３は、本体枠１の幅方向に亘り、かつ幅方向とは直交する方向に所定間隔を存して設けられる３枚の羽根板６から構成されている。各羽根板６は、コネクチングレバー７に回動自在に連結され、コネクチングレバー７と本体枠１との間には引張りコイルばね８が張設される。
【００１７】
上記本体枠１にはスイッチ装置９が取付けられていて、このスイッチ装置９から引紐１０が垂下している。したがって、使用者は引紐１０を容易に掴むことができ、引張り操作をなすことで羽根板６は室外側開口部を開閉し、スイッチ装置９のＯＮ−ＯＦＦ切換えができるようになっている。
【００１８】
なお説明すると、常時は引張りコイルばね８の張力によって羽根板６が本体枠１の開口部１ａ室外側を閉塞する。使用者が引紐１０を引張れば、スイッチ装置９がＯＮとなって駆動モータＭに通電され送風ファンＦを回転駆動する。同時に、コネクチングレバー７は引張りコイルばね８の弾性力に抗して移動し、各羽根板６は本体枠１の開口部１ａを一斉開放する。
【００１９】
上記化粧枠２は合成樹脂材から形成され、略矩形状の枠部１１と、この枠部の軸芯に沿ってベルマウス１２が一体成形されている。上記ベルマウス１２は、本体枠１の開口部１ａ居室側に形成され、室外側から居室側に向って漸次直径が大となる断面円弧状に形成される排気用ベルマウス部１２Ａと、この排気用ベルマウス部１２Ａの室外側に一体形成される吸気用ベルマウス部１２Ｂからなる。
【００２０】
上記吸気用ベルマウス部１２Ｂは、排気用ベルマウス部１２Ａの室外側先端部に、室外側に向うにしたがって順次径大となる円弧状に形成される。すなわち、吸気用ベルマウス部１２Ｂは排気用ベルマウス部１２Ａの円筒状部を他の部位よりも肉厚に成型した厚肉部となっていて、開口部１ａ室外側に位置する。
【００２１】
上記化粧枠２は、枠部１１を本体枠１のフランジ部に係脱可能に掛合することで開口部１ａ居室側に着脱可能に装着され、排気用ベルマウス部１２Ａが送風ファンＦを包囲する。上記化粧枠２における排気用ベルマウス部１２Ａ外面の上下部位と左右部位の４ヶ所には、位置決めリブ１３が突設される。
【００２２】
上記各位置決めリブ１３の先端面が本体枠１の内面に接していて、それにより排気用ベルマウス部１２Ａが本体枠１に位置決めされる。そして、上記位置決めリブ１３を備えることにより、排気用ベルマウス部１２Ａと送風ファンＦとの中心合せができ、後述するようにベルマウス１２に対する送風ファンＦの相対的な位置決めができる。
【００２３】
排気専用換気扇ＫＤにおいて、スイッチ装置９がＯＮに切換った状態で送風ファンＦが時計回り方向に回転駆動され、駆動モータ側に排気する。すなわち、居室内空気は本体枠１の開口部１ａ居室側から吸込まれ、開口部１ａ室外側から吹出される排気作用が行われる。このとき、ベルマウス１２において排気用ベルマウス部１２Ａを備えたことにより、居室側突出基部での圧力損失が少なくなって排気性能がよい。
【００２４】
また、吸気専用換気扇ＫＳにおいて、スイッチ装置９がＯＮに切換った状態で送風ファンＦが反時計回り方向に回転駆動され、駆動モータ側から吸気する。すなわち、屋外空気は本体枠１の開口部１ａ室外側から吸込まれて、開口部１ａ居室側から居室内へ吹出される吸気作用が行われる。このとき、ベルマウス１２において吸気用ベルマウス部１２Ｂを備えたことにより、先端部での圧力損失が少なくなって吸気性能がよい。
【００２５】
排気専用換気扇ＫＤおよび吸気専用換気扇ＫＳともに、使用者が再度引紐１０を引張れば、スイッチ装置９がＯＦＦに切換って駆動モータＭが断電され、送風ファンＦの回転が停止する。同時に、引張りコイルばね８の弾性力が作用してコネクチングレバー７が移動し、各羽根板６は本体枠１の開口部１ａを閉塞する。
【００２６】
排気専用換気扇ＫＤおよび吸気専用換気扇ＫＳは、本体枠１と、この本体枠１に設けられる化粧枠２およびシャッタ機構３として互いに同一の寸法構造部品が用いられ、双方に共通である。なお、上記駆動モータＭとして、回転方向が逆の同一寸法のモータを用いることにより、本体枠１、化粧枠２およびシャッタ機構３とともに同一部品を用いることを可能としている。
【００２７】
つぎに、上記駆動モータＭと、この駆動モータＭに取付け具５を介して取付けられる送風ファンＦについて詳述する。  
はじめに、送風ファンＦから説明する。  
図２（Ｂ）は排気専用換気扇ＫＤに用いられる送風ファンＦの正面図、図２（Ｃ）は図２(Ｂ)におけるＸ−Ｘ線に沿って送風ファンＦを一部切欠し拡大した側面図である。図３（Ｂ）は吸気専用換気扇ＫＳに用いられる送風ファンＦの正面図、図３（Ｃ）は図３(Ｂ)におけるＸａ−Ｘａ線に沿って送風ファンＦを一部切欠し拡大した側面図である。
【００２８】
上記送風ファンＦは合成樹脂材から形成されていて、軸芯に沿って設けられ上記駆動モータＭの回転軸Ｇに嵌め込まれるボス部１５と、このボス部１５の外周に一体に設けられる後述する掛合部１６と、この掛合部１６の外周に立て壁部１９を介して一体に設けられ複数枚のファンブレード１７を支持するファン支え部１８とからなる。いわゆるプロペラ型ファンであり、一方の送風方向に対して送風性能が良くなる羽根形状を有している。
【００２９】
上記ボス部１５は、放射状に設けられる複数のステーを介して二重円筒状に形成されていて、軸方向の中心位置（中心線）Ｎを境にして左右に略同一の長さ（ｃ≒ｄ）に寸法設定されている。上記ファン支え部１８も円筒状に形成されていて、軸方向の中心位置（中心線）Ｎを境にして左右に略同一の長さ（ａ≒ｂ）に寸法設定されている。
【００３０】
上記送風ファンＦにおけるボス部１５とファン支え部１８の軸方向の中心位置Ｎは、排気専用換気扇ＫＤと吸気専用換気扇ＫＳのいずれにおいても互いに同一位置に設定されることになり、この中心位置Ｎに沿って上記立て壁部１９の基端部が設けられる。すなわち、立て壁部１９基端部の厚み方向の真中位置が上記中心位置Ｎとなる。
【００３１】
再び図２(Ａ)、図３（Ａ）に示すように、送風ファンＦを駆動モータＭの回転軸Ｇに取付け、駆動モータＭを本体枠１に取付けるとともに、この本体枠１に化粧枠２を取付けて、排気専用換気扇ＫＤもしくは吸気専用換気扇ＫＳとして組立てた状態で、ベルマウス１２の位置決めリブ１３から送風ファンボス部１５とファン支え部１８の中心位置Ｎまでの距離Ｌが、互いに同一となるように設定されている。
【００３２】
すなわち、排気専用換気扇ＫＤの送風ファンＦと、吸気専用換気扇ＫＳの送風ファンＦは互いに同一の部品であり、駆動モータＭの回転軸Ｇに対する取付け方向が互いに逆になることを前提として、各換気扇ＫＤ、換気扇ＫＳのいずれにおいても、送風ファンＦのベルマウス１２に対する相対位置がほぼ同じになる。
【００３３】
上記駆動モータＭは、図４（Ａ）（Ｂ）に示すように構成される。図４（Ａ）は図４（Ｂ）の丸印部分を拡大した図、図４（Ｂ）は駆動モータＭの全体斜視図である。  
駆動モータＭは、全体的に円柱状に形成される。軸方向の中間部には略矩形状のフランジ部３２が径方向に突設され、このフランジ部３２の角部には取付け用孔ｉが設けられる。駆動モータＭのフランジ部３２を本体枠１の取付け用板に密着し、上記取付け用孔ｉに取付け用固定具を挿入して、駆動モータＭは本体枠１に取付け固定される。
【００３４】
駆動モータＭの一側部は凹陥状に形成され、軸芯に沿ってモータボス部３３が設けられる。上記モータボス部３３の端面から、先端部を除いて単純な丸棒状に形成される回転軸Ｇが突出している。この回転軸Ｇのモータボス部３３端面から僅かな距離の部位に凹溝が設けられ、いわゆるＣリングもしくはＥリングである、位置決め用リング３４が嵌め込まれる。
【００３５】
回転軸Ｇの丸棒部分先端は、逃げ部を介して丸棒直径よりも小さい径の上記ねじ部３０が設けられている。上記ねじ部３０の周面一部は軸方向に沿って平坦状に切欠加工されていて、ねじ部３０の断面は略Ｄ字状をなしている。上記ねじ部３０は、排気専用換気扇ＫＤに用いられる駆動モータＭと、吸気専用換気扇ＫＳに用いられる駆動モータＭとで、互いに逆方向にねじ加工されている。
【００３６】
具体的には、排気専用換気扇ＫＤの送風ファンＦが時計回り方向に回転駆動されるので、上記ねじ部３０は送風ファンＦの回転とは逆方向である左ねじ加工がなされている。また、吸気専用換気扇ＫＳの送風ファンＦが反時計回り方向に回転駆動されるので、上記ねじ部３０は送風ファンＦの回転方向とは逆方向である右ねじ加工がなされている。
【００３７】
再び図２(Ｃ)、図３（Ｃ）に示すように、上記取付け具５は、回り止め金具２０と押え摘み蓋２５とから構成される。上記回り止め金具２０は送風ファンＦの掛合部１６に掛合し、実際の送風時において送風ファンＦの回り止めをなす。押え摘み蓋２５は駆動モータＭの回転軸Ｇに設けられるねじ部３０に螺合し、回り止め金具２０とともに送風ファンＦを回転軸Ｇに固定する。
【００３８】
さらに、上記送風ファンＦに設けられる掛合部１６と、上記回り止め金具２０および押え摘み蓋２５について詳述する。  
図５（Ａ）は送風ファンＦの掛合部１６に回り止め金具２０を対向する斜視図、図５（Ｂ）は送風ファンＦの掛合部１６に回り止め金具２０を取付けた状態の斜視図である。
【００３９】
上記掛合部１６は、上記ボス部１５の外周で、かつ径方向に軸芯を介した対称位置に一対設けられている。いずれの掛合部１６も、送風ファンＦを軸芯側から見て（すなわち正面視）、水平な底面壁２１と、この底面壁２１の両側部に沿って垂直に設けられる側面壁２２とで、略Ｕ字状に形成される凹部である。
【００４０】
底面壁２１と対向して上面壁２３が設けられているが、この上面壁２３の立て壁部１９からの突出量は底面壁２１と側面壁２２の立て壁部１９からの突出量よりも短く形成される。すなわち、回り止め金具２０を掛合部１６に掛合する際に、回り止め金具２０の掛合部１６への掛合位置を確認し易いように配慮されている。
【００４１】
上記回り止め金具２０は、軸芯部に形成される垂直片部２０ａと、この垂直片部２０ａの上下端縁に沿って、それぞれが水平方向に折曲される水平片部２０ｂとからなり、側面視で略コ字状に折曲形成される。上記垂直片部２０ａの一部（両側部）は、上記送風ファンボス部１５を構成する外側ボスの内径と同一の曲率半径の円弧状に形成される。
【００４２】
上記垂直片部２０ａの円弧状部分を除く上下部の幅寸法は、上記掛合部１６における底面壁２１の幅寸法と略同一に形成される。垂直片部２０ａの軸芯位置にＤ形孔３１が設けられていて、このＤ形孔３１は駆動モータ回転軸Ｇの先端に形成されるねじ部３０の断面形状と同一の形状寸法をなす。
【００４３】
上記回り止め金具２０の一対の水平片部２０ｂ相互間隔は、一対の上記掛合部１６相互の底面壁２１間隔よりもある程度、大に形成されている。そして、水平片部２０ｂの垂直片部２０ａとの折曲側である基端部の幅寸法が、掛合部１６の両側面壁２２間隔よりも僅かに大に形成され、かつ基端部から先端は幅方向に先細り状に形成される。
【００４４】
図５（Ａ）に示すように、回り止め金具２０の水平片部２０ｂ相互を送風ファンＦの掛合部１６相互に対向させ、図５（Ｂ）に示すように、回り止め金具２０を掛合部１６に押し込む。水平片部２０ｂの先端が幅方向に先細り状であり、水平片部２０ｂの掛合部１６に対する挿入は容易である。
【００４５】
上述したように、水平片部２０ｂ基端部の幅寸法が掛合部両側面壁２２間隔よりも僅かに大に形成されているので、この先端が挿入したあとは強制的に水平片部２０ｂを掛合部１６に挿入する。回り止め金具２０の垂直片部２０ａがボス部１５端面に当接したところで、それ以上の挿入が規制される。
【００４６】
結局、図５（Ｂ）に示すように、回り止め金具２０における水平片部２０ｂの幅方向両側端縁が、送風ファン掛合部１６の両側面壁２２相互間に圧入状態で嵌め込まれる。したがって、回り止め金具２０は送風ファン掛合部１６に確実に取付けられ、強い力で引き抜かない限り、その状態は変らない。
【００４７】
再び図２（Ｃ）および図３（Ｃ）に示すように、上記送風ファンＦは立て壁部１９を境にして軸方向の左右両側に同一形状のボス部１５が形成されている。なお説明すると、上述したようにボス部１５は立て壁部１９の厚み方向の中心位置Ｎを基準として軸方向の左右両側に、略同一寸法だけ突設される。
【００４８】
上記掛合部１６も、立て壁部１９を挟んで左右両側に同一寸法形状のものが設けられる。したがって、駆動モータＭの回転軸Ｇに送風ファンボス部１５を取付けた状態で、排気専用換気扇ＫＤと吸気専用換気扇ＫＳのいずれも、掛合部１６自体は同一形状構造のものが回転軸Ｇ先端とともに露出することになる。
【００４９】
上記押え摘み蓋２５は合成樹脂材から形成され、軸方向に短い略皿状をなす。この周面は僅かにテーパ状をなすとともに、指を引っ掛け易いように複数の凹部２６が設けられる。押え摘み蓋２５の基端部直径は、送風ファンＦのファン支え部１８直径と同一寸法に形成され、駆動モータ回転軸Ｇに取付けられた状態で美観が確保される。
【００５０】
押え摘み蓋２５の軸芯部に沿いねじ用ボス２７が、組立てた状態で手前側になる一端面は埋設され、他端面は開口するようにインサート成形されている。ねじ用ボス２７は金属材で形成されて円筒状をなし、内径部には上記駆動モータ回転軸Ｇの先端に設けられるねじ部３０と同一径で同一形状（ねじ加工）のねじ孔２８が設けられる。
【００５１】
すなわち、排気専用換気扇ＫＤに用いられる駆動モータＭの回転軸Ｇにおいてねじ部３０が左ねじ加工されているので、排気専用の押え摘み蓋ねじ用ボス２７のねじ孔２８は左ねじ孔加工が施されている。吸気専用換気扇ＫＳに用いられる駆動モータＭの回転軸Ｇにおいてねじ部３０が右ねじ加工されているので、吸気専用の押え摘み蓋ねじ用ボス部２７のねじ孔２８には右ねじ孔加工が施されている。
【００５２】
つぎに、排気専用換気扇ＫＤの組立てについて説明すると、予め、送風ファン掛合部１６に回り止め金具２０を取付ける。  
図６（Ａ）は送風ファン掛合部１６に回り止め金具２０を対向する斜視図、図６（Ｂ）は送風ファンＦに回り止め金具２０を取付けた状態を示す斜視図である。
【００５３】
図６（Ａ）に示すように、送風ファンＦの前後方向（回転方向）の向きを正しく確認する。すなわち、送風ファンＦをフィンモータＭ側へ排気した時に送風性能が高くなる方向にする。手前側に回り止め金具２０を持ち、この水平片部２０ｂを露出している送風ファン掛合部１６に対向する。そして、図６（Ｂ）に示すように、送風ファン掛合部１６に回り止め金具２０を取付ける。
【００５４】
繰り返して説明するに、排気専用換気扇ＫＤであることを確認し、送風ファンＦの前後方向の向きを確認したならば、必ず送風ファンＦの手前側に回り止め金具２０を持ち、向側の掛合部１６へ押し込んで取付ける。送風ファンＦと回り止め金具２０は排気専用と吸気専用にかかわらず共通の部品であるので、取付け方向を間違えはならない。
【００５５】
つぎに、送風ファンＦと回り止め金具２０を駆動モータＭの回転軸Ｇに挿入する。図６（Ｂ）に示すように、回り止め金具２０が手前側にある状態のままで、送風ファンボス部１５を駆動モータ回転軸Ｇの先端（手前）側に対向する。そして、送風ファンＦのボス部１５を回転軸Ｇに差し込み、図２（Ｃ）に示すようにボス部１５の挿入側端面を回転軸Ｇに取付けられる位置決め用リング３４に当接させる。
【００５６】
このとき誤って、送風ファンＦを前後逆にして回り止め金具２０を回転軸Ｇ先端に向け、回り止め金具２０側から回転軸Ｇに挿入することが考えられる。回り止め金具２０のＤ形孔３１は回転軸ねじ部３０を挿通できるが、回転軸Ｇの丸棒部分にかかった位置で形状の相違から挿入を止められる。したがって、送風ファンＦの駆動モータ回転軸Ｇに対する取付け方向を誤ることがない。
【００５７】
送風ファンボス部１５を駆動モータ回転軸Ｇの所定部位まで嵌め込んだ状態で、ボス部１５の反差し込み側端面に取付けられる回り止め金具２０は回転軸Ｇのねじ部３０と対向する位置にある。回り止め金具２０のＤ形孔３１は、同一断面形状の回転軸ねじ部３０に挿入され、このねじ部３０の先端部は回り止め金具２０から突出する。
【００５８】
つぎに、回り止め金具２０から突出する回転軸ねじ部３０に、押え摘み蓋２５を取付ける。回転軸ねじ部３０と、押え摘み蓋２５のねじ用ボス２７に設けられるねじ孔２８が、同一向きのねじ（左ねじ）でないと取付けができないので、排気専用換気扇ＫＤ用としての押え摘み蓋２５の選択を誤ることがない。
【００５９】
回転軸Ｇ先端のねじ部３０に押え摘み蓋２５がねじ込まれ、押え摘み蓋２５で回り止め金具２０と送風ファンＦを回転軸Ｇに取付けられる位置決め用リング３４に押付けることで、送風ファンＦは駆動モータ回転軸Ｇに取付け固定される。このようにして排気専用換気扇ＫＤが組立てられ、先に図１（Ａ）で説明したようにして作用する。
【００６０】
つぎに、吸気専用換気扇ＫＳの組立てについて説明すると、予め、送風ファン掛合部１６に回り止め金具２０を取付ける。  
図７（Ａ）は送風ファン掛合部１６に回り止め金具２０を対向する斜視図、図７（Ｂ）は送風ファンＦに回り止め金具２０を取付けた状態を示す斜視図である。
【００６１】
図７（Ａ）に示すように、送風ファンＦの前後方向（回転方向）の向きを正しく確認する。すなわち、送風ファンＦをフィンモータＭ側から吸気した時に送風性能が高くなる方向にして、手前側に回り止め金具２０を持ち、水平片部２０ｂを送風ファン掛合部１６に対向する。そして、図７（Ｂ）に示すように、送風ファン掛合部１６に、上述したように回り止め金具２０を取付ける。
【００６２】
このように吸気専用換気扇ＫＳであることを確認し、送風ファンＦの前後方向の向きを確認したならば、必ず送風ファンＦの手前側に回り止め金具２０を持ち、向側の掛合部１６へ押し込んで取付ける。  
つぎに、送風ファンＦと回り止め金具２０を駆動モータＭの回転軸Ｇに挿入する。図７（Ｂ）に示すように回り止め金具２０が手前側にある状態のままで、送風ファンボス部１５を駆動モータ回転軸Ｇの先端（手前）側に対向する。
【００６３】
そして、送風ファンＦを向側へ移動してボス部１５を回転軸Ｇに差し込み、図３（Ｃ）に示すようにボス部１５の挿入側端面を回転軸Ｇに取付けられる位置決め用リング３４に当接させる。このため、排気専用換気扇ＫＤの場合と同様に、送風ファンＦの駆動モータ回転軸Ｇに対する取付け方向を誤ることがない。
【００６４】
送風ファンボス部１５を駆動モータ回転軸Ｇの所定部位まで嵌め込んだ状態で、ボス部１５の反差し込み側端面に取付けられる回り止め金具２０は回転軸Ｇのねじ部３０と対向する位置にある。回り止め金具２０のＤ形孔３１は、同一断面形状の回転軸ねじ部３０に嵌め込まれ、このねじ部３０の先端部は回り止め金具２０から突出する。
【００６５】
つぎに、回り止め金具２０から突出する回転軸ねじ部３０に、押え摘み蓋２５を取付ける。回転軸ねじ部３０と、押え摘み蓋２５のねじ用ボス２７に設けられるねじ孔２８が、同一向きのねじ（右ねじ）でないと取付けができないので、吸気専用換気扇ＫＳ用としての押え摘み蓋２５の選択を誤ることがない。
【００６６】
回転軸Ｇ先端のねじ部３０に押え摘み蓋２５がねじ込まれ、押え摘み蓋２５で回り止め金具２０と送風ファンＦを回転軸Ｇに取付けられる位置決め用リング３４に押付けることで、送風ファンＦは駆動モータ回転軸Ｇに取付け固定される。このようにして吸気専用換気扇ＫＳが構成され、先に図１（Ｂ）で説明したようにして作用する。
【００６７】
以上説明した吸気専用換気扇ＫＳおよび排気専用換気扇ＫＤにおいて、本体枠１と化粧枠２は共通部品で、本体枠１に対する化粧枠２の組立て構成も、吸気専用と排気専用のいずれにおいても全く同一である。  
上記駆動モータＭおよび取付け具５は、吸気専用と排気専用では共通の寸法形状をなしているが、駆動モータＭの回転軸Ｇに設けられるねじ部３０と、このねじ部３０に螺合する取付け具５に設けられるねじ孔２８は、吸気専用と排気専用で互いに逆ねじ加工された部品が用いられる。
【００６８】
上記送風ファンＦは、吸気専用と排気専用のいずれにも用いられる共通部品で、吸気効率および排気効率を両立するよう設計製作されている。なお、送風ファンＦの駆動モータ回転軸Ｇに対する取付け方向は、吸気専用と排気専用で互いに逆である。  
このように吸気専用換気扇ＫＳと排気専用換気扇ＫＤは、構成部品の多くを共通として、部品費の低減化を図れる。駆動モータ回転軸Ｇと取付け具５に対するねじ加工は互いに逆ねじ加工となるが、特に大きな加工上の差がないので、加工工数の増大を避けられる。送風ファンＦは、駆動モータ回転軸Ｇに対する取付け方向を互いに逆にする必要があるが、特に大きな違いでないから、作業性を損なわない。
【００６９】
上記送風ファンＦを構成するボス部１５とファン支え部１８は、いずれも軸方向の中心位置Ｎが互いに略同一位置に設定され、この中心位置Ｎを境にして両側に掛合部１６が設けられるから、送風ファンＦの構成が簡素化して、部品費の増大を抑制する。  
送風ファンＦにおけるボス部１５とファン支え部１８の軸方向の中心位置Ｎは、いずれもベルマウス１２に対する相対位置が変らないように設定されるから、排気効率と吸気効率の差がほとんど無く、排気効率を保持して吸気効率の向上を得られる。
【００７０】
上記送風ファンＦに設けられる掛合部１６は、両面に設けられているため、送風ファンＦの駆動モータＭに対する取付け方向に係らず、回り止め金具２０の掛合が可能である。上記取付け金具５は、吸気専用と排気専用の別にかかわらず、駆動モータ回転軸Ｇの先端（手前）側から送風ファンＦを回転軸Ｇに取付け固定するようになっているから、取付け金具５の送風ファンＦに対する作業が容易であり、作業性を損なわない。
【００７１】
なお、実施の形態の説明において、先に排気専用換気扇ＫＤについて説明し、後から吸気専用換気扇ＫＳについて説明したが、これについては特別の意図がない。また、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００７２】
【図１】本発明における実施の形態に係る、排気専用換気扇と吸気専用換気扇の斜視図。
【図２】同実施の形態に係る、排気専用換気扇の断面図と、送風ファンの正面図および駆動モータと送風ファン一部の切欠した側面図。
【図３】同実施の形態に係る、吸気専用換気扇の断面図と、送風ファンの正面図および駆動モータと送風ファン一部の切欠した側面図。
【図４】同実施の形態に係る、駆動モータの回転軸一部の拡大した斜視図と、駆動モータの外観斜視図。
【図５】同実施の形態に係る、送風ファン掛合部に対する回り止め金具の取付けを説明する斜視図。
【図６】同実施の形態に係る、排気専用換気扇の送風ファンに対する回り止め金具の取付けを説明する斜視図。
【図７】同実施の形態に係る、吸気専用換気扇の送風ファンに対する回り止め金具の取付けを説明する斜視図。
【符号の説明】
【００７３】
Ｍ…駆動モータ、Ｇ…回転軸、２０…回り止め金具、Ｆ…送風ファン、１５…ボス部、１６…掛合部、１７…ファンブレード、１８…ファン支え部、１ａ…開口部、１…本体枠、１２…ベルマウス、２…化粧枠、ＫＳ…吸気専用換気扇、ＫＤ…排気専用換気扇。
【図１】
2008202579.tif 000003
【図２】
2008202579.tif 000004
【図３】
2008202579.tif 000005
【図４】
2008202579.tif 000006
【図５】
2008202579.tif 000007
【図６】
2008202579.tif 000008
【図７】
2008202579.tif 000009